(57)【要約】【課題】必要時に開閉口が開いて液体が通過可能となるとともに、液体が滞留する滞留部が生じにくい接続具を提供すること。【解決手段】管体２０が接続可能であり、内部を液体が通過する接続具１である。この接続具１は、管体２０が接続されていないとき、開閉口２１２が閉じた状態で頭部２１がメス側接続部９１に挿入されており、管体２０がメス側接続部９２に挿入されたとき、管体２０で頭部２１が押圧されることにより、頭部２１が凹部７１側へ移動するとともにつば部２２が変形してその少なくとも一部が凹部７１の内面に密着し、管体２０をメス側接続部９１から抜去したとき、つば部２２の弾性力により、頭部２１がメス側接続部９１に挿入された位置に戻る。【選択図】図５
2005137407.tif 000002
【特許請求の範囲】
【請求項１】
管体が接続可能であり、内部を液体が通過する接続具であって、
弾性材料で構成され、必要時に開く開閉口で構成された開通手段を有する頭部と、前記頭部の一端から全周に渡り外周側に広がるように形成されたつば部とを有する弁体と、
凹部を有し、該凹部の縁部に前記つば部の外周部が液密に固定されるベースと、
前記ベースに設置され、前記凹部内に連通する内腔を有する管状のオス側接続部と、
前記ベースに設置され、前記管体が挿入可能であるとともに、前記頭部が挿入可能な管状のメス側接続部とを備え、
前記管体が接続されていないとき、前記開閉口が閉じた状態で前記頭部が前記メス側接続部に挿入されており、
前記管体が前記メス側接続部に挿入されたとき、前記管体で前記頭部が押圧されることにより、前記頭部が前記凹部側へ移動するとともに前記つば部が変形してその少なくとも一部が前記凹部の内面に密着し、
前記管体を前記メス側接続部から抜去したとき、前記つば部の弾性力により、前記頭部が前記メス側接続部に挿入された位置に戻ることを特徴とする接続具。
【請求項２】
前記管体が前記メス側接続部に挿入され、前記頭部が前記凹部側へ移動したときに、前記開閉口を開口させる開口手段を有する請求項１に記載の接続具。
【請求項３】
前記弁体および前記メス側接続部を複数組備え、
少なくとも一つの前記メス側接続部と前記オス側接続部とは、それらの中心線が互いに平行で、かつ前記メス側接続部の開口部と前記オス側接続部の開口部とが互いに反対の方向を向くように配置されている請求項１または２に記載の接続具。
【請求項４】
前記弁体および前記メス側接続部を複数組備え、
少なくとも２組の前記弁体および前記メス側接続部は、それらの中心線が互いにほぼ直交するように配置されている請求項１ないし３のいずれかに記載の接続具。
【請求項５】
複数の前記弁体が一体的に形成されている請求項３または４に記載の接続具。
【請求項６】
前記凹部は、ほぼすり鉢状の凹面を有し、前記管体が前記メス側接続部に挿入されたとき、前記凹面に前記つば部の少なくとも一部が密着する請求項１ないし５のいずれかに記載の接続具。
【請求項７】
管状のオス側接続部と、
管体を受け入れ可能な複数のメス側接続部と、
前記オス側接続部の内腔に連通する液体流入空間と、
前記各メス側接続部に対しそれぞれ設けられ、前記メス側接続部に管体が接続されていないときには閉じ、前記メス側接続部に管体が接続されているときには開く開閉口で構成された開通手段を有する弾性材料で構成された弁とを有し、
前記メス側接続部に管体が接続されたとき、当該管体の内腔が前記開閉口を介して前記液体流入空間に連通することにより、当該管体と前記オス側接続部との間を液体が流入可能となる接続具であって、
前記液体流入空間は、液体が流れるに際し、液体の滞留が可能な限り生じないような形状になっていることを特徴とする接続具。
【発明の詳細な説明】
【技術分野】
【０００１】
本発明は、管体の接続が可能であり、内部を液体が通過する接続具に関する。
【背景技術】
【０００２】
輸液、輸血、栄養投与等に用いる液体の流路接続を必要とする医療用具においては、薬液、血液、流動食等の液体（流体）を持続的、一時的に流す際、液体の流路（回路）の接続、脱離を必要に応じて行う必要がある。このとき、回路の途中に液体の流路同士を接続する接続具を取り付けることが知られている。
【０００３】
このような接続具の代表的なものとしては、例えば、三方活栓がある。この三方活栓は、１つのオス型接続部と、２つのメス型接続部によって構成されている。複数の三方活栓を用いて回路を形成するとき、一方のオス型接続部と他方のメス型接続部との嵌合によって回路の接続（形成）をおこなう。
【０００４】
しかし、接続した接続具同士が脱離したとき、流路となる部位が外気に露出するおそれがあるため、このような接続具は、菌汚染に弱いという欠点があった。特に、メス型接続部は、接続と脱離とが繰り返されて使用される機会が多く、外気に触れる（露出する）頻度が高いという問題があった。
【０００５】
このような問題に対し、メス型接続部の流路となる部分の外気への露出を抑えるように、メス型接続部に流路の開閉可能な弁体を設けた接続具がある（例えば、特許文献１参照）。この接続具は、弁体に針を穿刺したり、スリットを設けた弁体にオス型接続部を挿入したりして流路を開通させるため、針やオス型接続部の脱離後に再び弁体が閉じ、流路の外気への露出を抑えることができる。
【０００６】
しかし、このような接続具は、弁体が一方のメス型接続部のみに設置されておらず、このメス型接続部から他方のオス型接続部を外す際、メス型接続部が外気に露出するという問題があった。
【０００７】
また、このような接続具は、メス型接続部の中に液体が滞留する滞留部が生じ易い。これにより、必要とする量の液体が流れ難く、滞留部に繁殖した菌で流路が汚染され易い等の問題がある。また、使用前に接続具内（流路）を液体で満たして使用する際、予め接続具内にある気体を取り除くことが困難であるという問題があった。
【０００８】
【特許文献１】特公平５−３２０７１号公報
【特許文献２】特開平９−１０８３６１号公報
【発明の開示】
【発明が解決しようとする課題】
【０００９】
本発明の目的は、必要時に開閉口が開いて液体が通過可能となるとともに、液体が滞留する滞留部が生じにくい接続具を提供することにある。
【課題を解決するための手段】
【００１０】
このような目的は、下記（１）〜（７）の本発明により達成される。なお、下記（８）〜（１０）であるのが好ましい。
【００１１】
（１）  管体が接続可能であり、内部を液体が通過する接続具であって、
弾性材料で構成され、必要時に開く開閉口で構成された開通手段を有する頭部と、前記頭部の一端から全周に渡り外周側に広がるように形成されたつば部とを有する弁体と、
凹部を有し、該凹部の縁部に前記つば部の外周部が液密に固定されるベースと、
前記ベースに設置され、前記凹部内に連通する内腔を有する管状のオス側接続部と、
前記ベースに設置され、前記管体が挿入可能であるとともに、前記頭部が挿入可能な管状のメス側接続部とを備え、
前記管体が接続されていないとき、前記開閉口が閉じた状態で前記頭部が前記メス側接続部に挿入されており、
前記管体が前記メス側接続部に挿入されたとき、前記管体で前記頭部が押圧されることにより、前記頭部が前記凹部側へ移動するとともに前記つば部が変形してその少なくとも一部が前記凹部の内面に密着し、
前記管体を前記メス側接続部から抜去したとき、前記つば部の弾性力により、前記頭部が前記メス側接続部に挿入された位置に戻ることを特徴とする接続具。
【００１２】
（２）  前記管体が前記メス側接続部に挿入され、前記頭部が前記凹部側へ移動したときに、前記開閉口を開口させる開口手段を有する上記（１）に記載の接続具。
【００１３】
（３）  前記弁体および前記メス側接続部を複数組備え、
少なくとも一つの前記メス側接続部と前記オス側接続部とは、それらの中心線が互いに平行で、かつ前記メス側接続部の開口部と前記オス側接続部の開口部とが互いに反対の方向を向くように配置されている上記（１）または（２）に記載の接続具。
【００１４】
（４）  前記弁体および前記メス側接続部を複数組備え、
少なくとも２組の前記弁体および前記メス側接続部は、それらの中心線が互いにほぼ直交するように配置されている上記（１）ないし（３）のいずれかに記載の接続具。
【００１５】
（５）  複数の前記弁体が一体的に形成されている上記（３）または（４）に記載の接続具。
【００１６】
（６）  前記凹部は、ほぼすり鉢状の凹面を有し、前記管体が前記メス側接続部に挿入されたとき、前記凹面に前記つば部の少なくとも一部が密着する上記（１）ないし（５）のいずれかに記載の接続具。
【００１７】
（７）  管状のオス側接続部と、
管体を受け入れ可能な複数のメス側接続部と、
前記オス側接続部の内腔に連通する液体流入空間と、
前記各メス側接続部に対しそれぞれ設けられ、前記メス側接続部に管体が接続されていないときには閉じ、前記メス側接続部に管体が接続されているときには開く開閉口で構成された開通手段を有する弾性材料で構成された弁とを有し、
前記メス側接続部に管体が接続されたとき、当該管体の内腔が前記開閉口を介して前記液体流入空間に連通することにより、当該管体と前記オス側接続部との間を液体が流入可能となる接続具であって、
前記液体流入空間は、液体が流れるに際し、液体の滞留が可能な限り生じないような形状になっていることを特徴とする接続具。
【００１８】
（８）  前記開口手段は、前記メス側接続部に向かって前記凹部の内面から突出した突出部を有し、前記管体が前記メス側接続部に挿入され、前記頭部が前記凹部側へ移動したときに、前記突出部が前記開閉口へ挿入することにより前記開閉口を開口させる上記（２）に記載の接続具。
【００１９】
（９）  前記開口手段は、前記管体が前記メス側接続部に挿入され、前記頭部が前記凹部側へ移動したときに、前記頭部をその径方向に圧縮することにより前記開閉口を開口させる圧縮部を有する上記（２）に記載の接続具。
【００２０】
（１０）  前記メス側接続部は、前記管体を嵌合する嵌合部を有する上記（１）ないし（６）のいずれかに記載の接続具。
【発明の効果】
【００２１】
本発明の接続具によれば、管体が接続されていないとき、開閉口が閉塞されることにより液体の通過が阻止され、管体が接続されたとき、開閉口が開口され、液体が通過することができる。
【００２２】
また、本発明の接続具によれば、液体が通過する際、その液体の滞留を生じにくくすることができる。
【００２３】
また、開閉口を開口させる開口手段を備えた場合には、確実に開閉口を開口させることができる。
【発明を実施するための最良の形態】
【００２４】
以下、本発明の接続具を添付図面に示す好適な実施形態に基づいて詳細に説明する。
＜第１実施形態＞
図１は、本発明の接続具の第１実施形態を示す斜視図、図２および図３は、図１に示す接続具の分解斜視図、図４は、図１中のＡ−Ａ線断面図、図５は、管体が接続具に接続された状態における図１中のＢ−Ｂ線断面図、図６は、図１に示す接続具が備える弁体の斜視図である。
【００２５】
図１に示す本発明の接続具１は、管体２０が接続可能であり、内部を液体が通過するものである。この接続具１は、弾性変形可能な弾性材料で構成された２つの弁体２Ａ、２Ｂと、これらの弁体２Ａ、２Ｂを収容するハウジング６とを備えている。以下、各部の構成について説明する。なお、弁体２Ａおよび２Ｂは、それらの形状や作用がほぼ同一であるため、以下、弁体２Ａについて代表的に説明する。また、以下、管体２０を接続具１に接続していない状態を「非接続状態」と言い、図５に示すように、管体２０を接続具１に接続した状態を「接続状態」と言う。
【００２６】
まず、管体２０について説明する。
図５に示すように、管体２０は、接続具１に接続される部位または器具である。管体２０としては、例えば、シリンジ（注射器）の基端突出部位（針管を接続する部位）や、それ自体独立したハブ、シース等の管状器具が挙げられる。
【００２７】
管体２０は、内腔（流路）２０２を有し、その外周面は、ルアーテーパー状をなしている。すなわち、管体２０の外径は、開口部２０１側において後述するメス側接続部９１の開口部９１２の内径よりわずかに小さく、開口部２０１側と反対の方向に向かって漸増するテーパー状をなしている。
【００２８】
管体２０の外周側には、雌ルアーロック部３０が設けられている。雌ルアーロック部３０の内周面には、雌ネジ３０１が形成されている。
【００２９】
次に、弁体２Ａについて説明する。
図２および図３に示すように、弁体２Ａは、ほぼ円柱状の頭部２１と、頭部２１の一端から全周に渡り外周側に広がるように形成されたつば部２２とを有している。なお、以下では、弁体２Ａの頭部２１側を「先端」、つば部２２側を「基端」として説明する。
【００３０】
頭部２１は、その先端に形成された頂面２１１と、必要時に開く開閉口２１２と、頭部２１の外周に形成された拡径部２１３とを有している。
【００３１】
開閉口２１２は、頂面２１１の中央部から頭部２１の軸方向に貫通するように形成された一文字状のスリット（切込み）で構成されている。この開閉口２１２は、弁体２Ａが自然状態（頭部２１が管体２０に押圧されていない状態、すなわち、非接続状態）にあるときは、頭部２１自体の弾性により閉塞され、液密状態（気密状態）を保持している。
【００３２】
拡径部２１３は、頭部２１の基端部（つば部２２）付近から中間部付近にかけて外径が漸増するように形成されている。これにより、非接続状態で、拡径部２１３がメス側接続部９１の内腔９１１に当接し、頭部２１（頂面２１１）がメス側接続部９１の開口部９１２から突出するのを防止することができる。
【００３３】
つば部２２は、スカート部２２１と外周部２２２とを有している。
スカート部２２１は、つば部２２の先端側から基端側に向かって傘状に広がるように形成されており、外周部２２２は、スカート部２２１の外周を囲むように形成されている。
【００３４】
このような弁体２Ａ（弁体２Ｂも同様）を構成する弾性材料としては、特に限定されないが、例えば、天然ゴム、イソプレンゴム、シリコーンゴムのような各種ゴム材料や、スチレン系、ポリブタジエン系等の各種熱可塑性エラストマーが挙げられ、これらのうちの１種または２種以上を混合して用いることができる。
【００３５】
次に、ハウジング６について説明する。
図２、図３および図４に示すように、ハウジング６は、弁体２Ａおよび２Ｂが固定されるベース７と、ベース７に設置（固定）されるキャップ９Ａ、９Ｂとを有している。なお、キャップ９Ａおよび９Ｂは、それらの形状や作用がほぼ同一であるため、以下、キャップ９Ａについて代表的に説明する。
【００３６】
まず、ベース７は、形状がほぼ立方体をなしており、凹部７１と、溝７２とを有している。
【００３７】
凹部７１は、ほぼすり鉢状の２つの凹面７１２が融合したような形状をなしており、ベース７の隣り合う２つの面に渡って形成されている。凹部７１の縁部７１１には、弁体２Ａおよび２Ｂのつば部２２の外周部２２２の一部が、それぞれ、液密に固定される。
【００３８】
溝７２は、凹部７１が形成されていないベース７の両側面に、それぞれ２つずつ形成され、後述するキャップ９Ａおよび９Ｂの爪部９３がこれら溝７２に係合する。
【００３９】
凹部７１および溝７２が形成されていないベース７の側面には、その面に垂直になるように管状のオス側接続部８が設置されている。このオス側接続部８は、凹部７１内に連通する内腔８１と、ルアーテーパー部８３とを有している。
【００４０】
ルアーテーパー部８３は、オス側接続部８の開口部８２側の外周部に、その外径が開口部８２の方向に向かって漸減するように形成されている。なお、オス側接続部８は、図示の構成では、ベース７に一体的に形成されているが、これに限定されず、ベース７とは別部材で形成されていてもよい。
【００４１】
次に、キャップ９Ａは、管状のメス側接続部９１と、カバー部９２と、爪部９３とを有している。
【００４２】
メス側接続部９１は、管体２０の挿入（受け入れ）が可能であるとともに、頭部２１の挿入が可能な内腔９１１を有している。
【００４３】
この内腔９１１の開口部９１２付近には、接続状態で管体２０を嵌合する嵌合部９１４を有している。嵌合部９１４は、内腔９１１の内径が開口部９１２付近で小さくなるように形成されている。
【００４４】
これにより、管体２０が接続具１内へ必要以上に挿入されるのを防止することができる。
【００４５】
メス側接続部９１の開口部９１２側の外周部には、雄ネジ９１３が形成されている。接続状態で、この雄ネジ９１３は、雌ルアーロック部３０の雌ネジ３０１に螺合する。
【００４６】
カバー部９２は、メス側接続部９１の一端から全周に渡り外周側に広がるように形成されており、弁体２Ａのつば部２２を外側から覆う。
【００４７】
爪部９３は、カバー部９２の外周部に２つ設けられている。これらの爪部９３は、互いに対向してベース７を挟持するようにベース７の溝７２に係合し、キャップ９Ａをベース７に固定する。
【００４８】
なお、開口部９１２の内径は、頭部２１の外径と同じかまたはより小さいことが好ましい。これにより、非接続状態のとき、頭部２１がその径方向に圧縮されて、開閉口２１２がより確実に閉塞することができる。
【００４９】
このようなベース７（オス側接続部８含む）およびキャップ９Ａ（キャップ９Ｂも同様）の構成材料としては、特に限定されず、例えば、ポリエチレン、ポリプロピレン、ポリカーボネートの各種樹脂材料、その他、各種ガラス材、セラミックス材料、金属材料で構成することもできる。
【００５０】
次に、接続具１の全体構成について説明する。
まず、非接続状態における接続具１について説明する。
図１、図２および図３に示すように、ベース７の凹部７１を覆うように弁体２Ａ、２Ｂが設置（固定）されている。そして、弁体２Ａの頭部（弁）２１がキャップ９Ａのメス側接続部９１（内腔９１１）に挿入され、同様に、弁体２Ｂの頭部（弁）２１がキャップ９Ｂのメス側接続部９１（内腔９１１）に挿入されている。これら２つの弁体２Ａ、２Ｂは、それぞれの外周部２２２がベース７とキャップ９Ａ、９Ｂとで挟持され、キャップ９Ａの爪部９３とキャップ９Ｂの爪部９３とがベース７の溝７２に係合している。このとき、弁体２Ａおよび２Ｂの開閉口２１２は、閉じた状態となっている。なお、以下、このときの弁体２Ａおよび２Ｂの頭部２１の位置を「第１の位置」と言う（図４参照）。
【００５１】
図４に示すように、接続具１内には、弁体２Ａのつば部２２（スカート部２２１）と、弁体２Ｂのつば部２２（スカート部２２１）と、凹部７１とで囲まれるようにして、液体流入空間１１が形成されている。この液体流入空間１１は、オス側接続部８の内腔８１に連通している。
【００５２】
この接続具１では、メス側接続部９１とオス側接続部８とがそれらの中心線が互いに平行で、かつメス側接続部９１の開口部９１２とオス側接続部８の開口部８２とが互いに反対の方向を向くように配置されている。すなわち、弁体２Ｂの開閉口２１２とオス側接続部８の内腔８１とがほぼ同一直線上に存在するように構成されている。
【００５３】
これにより、複数の接続具１同士を接続する際、一方のオス側接続部８と他方のメス側接続部９１とを接続することで、ほぼ直線的に接続具１同士を接続することができる。
【００５４】
同様に、この接続具１では、弁体２Ａおよびキャップ９Ａ（メス側接続部９１）の組と、弁体２Ｂおよびキャップ９Ｂ（メス側接続部９１）の組とは、それらの中心線が互いにほぼ直交するように配置されている。
【００５５】
これにより、異なる２方向から液体をオス側接続部８へ送ることができたり、オス側接続部８からの液体を異なる２方向へ分岐させたりすることができる。
【００５６】
次に、接続状態（例えば、管体２０がキャップ９Ａ（メス側接続部９１）に挿入されたとき）における接続具１について説明する。
図５に示すように、雌ルアーロック部３０の雌ネジ３０１とメス側接続部９１の雄ネジ９１３とが螺合し、メス側接続部９１に挿入された管体２０で弁体２Ａの頭部２１が押圧されることにより、第１の位置にある頭部２１が凹部７１側へ移動する。これとともに、スカート部２２１（つば部２２）が弾性変形して、スカート部２２１の一部が凹部７１の凹面７１２（内面）に密着する。なお、以下、このときの弁体２Ａの頭部２１の位置を「第２の位置」と言う（弁体２Ｂについても同様に、「第２の位置」と言うことができる）。
【００５７】
このとき、管体２０の開口部２０１が形成されている面と弁体２Ａの頂面２１１とが密着しており、これにより、通過する液体が洩れるのを防止することができる。
【００５８】
このような構成により、液体が接続具１の内部を流れる際、液体流入空間１１は、その液体の滞留が可能な限り生じないような形状になっている。これにより、液体流入空間１１に形成されるデッドスペースが小さく、この液体流入空間１１に液体が滞留するのを防止することができる。
【００５９】
接続具１は、開閉口２１２を開口させる開口手段４を有し、弁体２Ａの頭部２１が第２の位置にあるとき、この開口手段４により開閉口２１２を開口させるように構成されている。
【００６０】
これにより、第１の位置で閉塞している開閉口２１２を第２の位置で開口させることができる。すなわち、必要時に（接続状態で）開閉口２１２を開口させることができる。
【００６１】
図５に示すように、開口手段４は、２つの突出部４１、４２を有している。
【００６２】
突出部４１、４２は、それぞれがキャップ９Ａおよび９Ｂのメス側接続部９１に向かって凹部７１の内面から突出するように形成され、先端部に丸みを帯びたほぼ円柱状をなしている。
【００６３】
接続状態のときに弁体２Ａの頭部２１が第２の位置に移動した際、突出部４１が開閉口２１２へ挿入することにより、開閉口２１２が押し広げられ、突出部４１の外周面と開閉口２１２との間に隙間が生じ、開閉口２１２が開口する。
【００６４】
これにより、管体２０の内腔２０２が開閉口２１２を介して液体流入空間１１に連通し、管体２０とオス側接続部８との間を液体が流入可能となる。
【００６５】
次に、管体２０をキャップ９Ａ（メス側接続部９１）から抜去したとき、すなわち、再び非接続状態に戻したときの接続具１について説明する。
図４に示すように、雌ルアーロック部３０の雌ネジ３０１とメス側接続部９１の雄ネジ９１３との螺合が解除され、メス側接続部９１からの管体２０の抜去により、弁体２Ａの頭部２１への管体２０の押圧が解除される。これにより、頭部２１は、つば部２２（スカート部２２１）の弾性力により第１の位置に戻る。このとき、開閉口２１２は、頭部２１の弾性力により再び閉塞する。
【００６６】
このような構成により、接続具１は、弁体２Ａおよび２Ｂの開閉口２１２を必要時に適宜開閉させることができる。これにより、接続具１への管体２０の接続と脱離を繰り返した場合、接続具１の内部が外気に触れるのを防止し、該内部が主に外気の菌で汚染されるのを防止することができる。
【００６７】
また、同様の構成により、液体が接続具１の内部（特に、液体流入空間１１）を流れる際、液体流入空間１１がその液体の滞留が可能な限り生じないような形状になっているので、液体が該内部に滞留するのを防止することができる。同様
に、接続具１の内部が予め気体で満たされている場合も、該内部を液体で置換する際、この気体が該内部に残留（滞留）するのを防止することができる。
【００６８】
前述したように、接続具１は、２つの弁体２Ａ、２Ｂを有しており、これらの弁体２Ａ、２Ｂは、図２、図３および図６に示すように、一体的に形成されている。
【００６９】
これにより、液体流入空間１１を構成する両つば部２２（スカート部２２１）で形成された面は、段差（凹凸）が少ないように滑らかに形成され、液体流入空間１１に液体の滞留が生じるのをより確実に防止することができる。
【００７０】
なお、接続する管体２０は、図示の構成のように、キャップ９Ａに接続されるのに限定されない。例えば、２つのキャップ９Ａ、９Ｂに接続されてもよいし、キャップ９Ｂに接続されてもよい。
【００７１】
また、弁体およびメス側接続部の組は、本実施形態のように、２組であるのに限定されず、例えば、３組以上であってもよい。
【００７２】
また、本実施形態のように、１組のメス側接続部９１とオス側接続部８とがそれらの中心線が互いに平行で、かつメス側接続部９１の開口部９１２とオス側接続部８の開口部８２とが互いに反対の方向を向くように配置されているのに限定されない。例えば、接続具１が２組以上のメス側接続部９１とオス側接続部８とを有する場合も、このような配置であってもよい。
【００７３】
また、本実施形態のように、２組の弁体およびメス側接続部がそれらの中心線が互いにほぼ直交するように配置されているのに限定されない。例えば、接続具１が３組以上の弁体およびメス側接続部を有する場合もこのような配置であってもよい。
【００７４】
また、ベース７へのキャップ９Ａ、９Ｂの固定は、本実施形態のように、爪部９３と溝７２との係合によるものであるのに限定されず、例えば、嵌合、かしめ、接着剤による接着、熱融着、超音波融着等の方法によるものであってもよい。
【００７５】
また、弁体２Ａ、２Ｂは、本実施形態のように、一体的に形成されているのに限定されず、個々に形成され、ハウジング６に収納されていてもよい。
【００７６】
前述したような構成の接続具１は、例えば、輸液セット（輸血セット）、栄養セット、圧力モニタリングライン、人工肺回路、人口透析回路等における流体（液体）の流路接続を必要とする医療用具に組み込んで使用され得る。
【００７７】
＜第２実施形態＞
図７は、本発明の接続具の第２実施形態を示す縦断面図、図８は、図１に示す接続具の平面図、図９は、図７中のＡ−Ａ線断面図、図１０は、管体が接続具に接続された状態における図１中の接続具の縦断面図（管体は省略）、図１１は、図１０に示す接続具の平面図、図１２は、図１０中のＡ−Ａ線断面図である。
【００７８】
以下、これらの図を参照して本発明の接続具の第２実施形態について説明するが、前述した第１実施形態との相違点を中心に説明し、同様の事項はその説明を省略する。
【００７９】
本実施形態の接続具１Ａは、弁体２’の形状および開口手段４’の構成が異なること以外は前記第１実施形態と同様である。なお、以下では、弁体２’の頭部２１側を「先端」、つば部２３側を「基端」として説明する。また、つば部２３は、第１実施形態で述べたつば部２２に対応している。また、本実施形態では、弁体２’は、キャップ９Ａによりベース７に固定されている。
【００８０】
図８および図９に示すように、弁体２’の頭部２１には、一文字状のスリット２１４ａと、十文字状のスリット２１４ｂとで構成された開閉口２１４が形成されている。
【００８１】
スリット２１４ａは、頂面２１１の中央部から頭部２１の軸方向に、頭部２１の中間部付近まで、頭部２１を切込むように形成されている。
【００８２】
スリット２１４ｂは、同様の方向に、頭部２１の基端の中央部から頭部２１の中間部付近まで、頭部２１を切込むように形成されている。
【００８３】
このとき、スリット２１４ａとスリット２１４ｂとは、頭部２１の中間部付近で連通している。
【００８４】
このような開閉口２１４（スリット２１４ａ、２１４ｂ）は、非接続状態のとき、第１実施形態と同様に、閉塞され、液密状態（気密状態）を保持している。
【００８５】
弁体２’のつば部２３は、頭部２１の一端から全周に渡り外周側に広がるように形成され、その形状がほぼ板状（円板上）をなしている。非接続状態のとき、このつば部２３は、その先端側のほぼ全面がキャップ９Ａのカバー部９２の内側に当接している。
【００８６】
開口手段４’は、開閉口２１４を開口させる圧縮部４３を有している。
圧縮部４３は、接続状態のときに頭部２１が第２の位置へ移動した際、頭部２１をその径方向、特に、スリット２１４ａの横断面の形成方向と同じ方向（図１１中の矢印方向）に圧縮するように、メス側接続部９１の内腔９１１の内径が内腔９１１の基端付近で縮径した形状をなしている。
【００８７】
これにより、図１１および図１２に示すように、第２の位置における頭部２１の先端側が圧縮され、スリット２１４ａが開口するとともに、つば部２３がその径方向（図１２中の矢印方向）に引っ張られ、スリット２１４ｂが開口する。すなわち、開閉口２１４が頭部２１の軸方向に貫通（開口）する。
【００８８】
このような接続具１Ａは、第１実施形態のように、凹部７１に突出部４１、４２が形成されていないので、液体流入空間１１での液体の滞留がより生じにくい。
【００８９】
なお、本実施形態では、接続具１Ａは、弁体およびキャップの組を１組備えているが、これに限定されず、例えば、２組以上備えていてもよい。
【００９０】
＜第３実施形態＞
図１３は、本発明の接続具の第３実施形態を示す縦断面図である。
【００９１】
以下、この図を参照して本発明の接続具の第３実施形態について説明するが、前述した第１実施形態との相違点を中心に説明し、同様の事項はその説明を省略する。
【００９２】
本実施形態の接続具１Ｂは、開口手段４が備えられていないこと以外は前記第１実施形態と同様である。
【００９３】
図１３に示すように、本実施形態では、接続具に接続される部位が鈍針のような形状をなしている管体２０を接続具１Ｂに接続する。
【００９４】
接続状態のとき、このような形状の管体２０が頭部２１の開閉口２１２に挿入されることにより、開閉口２１２が押し広げられて開口する。これとともに、頭部２１は、管体２０により押圧され、第２の位置に位置している。
【００９５】
このような構成により、接続状態とのき、特に、接続具に弁体の開閉口を開口させる開口手段が備えられていない場合でも、開閉口を開口させることができる。
【００９６】
以上、本発明の接続具を図示の実施形態について説明したが、本発明は、これに限定されるものではなく、接続具を構成する各部は、同様の機能を発揮し得る任意の構成のものと置換することができる。また、任意の構成物が付加されていてもよい。
【００９７】
また、本発明の接続具は、前記各実施形態のうちの、任意の２以上の構成（特徴）を組み合わせたものであってもよい。
【００９８】
例えば、本発明の接続具が、前述した突出部と圧縮部との両部位を有する開口手段を備えてもよい。
【００９９】
また、前記各実施形態のように、２つ弁体がほぼ同一機能および作用の弁体であるのに限定されず、互いに機能および作用が異なる弁体であってもよい。
【０１００】
また、前記各実施形態のように、接続具が２つの弁体を備えている場合、この接続具は、用途に応じて、接続される管体が２つの弁体のうちの一方の弁体にのみ接続が可能であってもよいし、両方の弁体に接続が可能であってもよい。
【図面の簡単な説明】
【０１０１】
【図１】本発明の接続具の第１実施形態を示す斜視図である。
【図２】図１に示す接続具の分解斜視図である。
【図３】図１に示す接続具の分解斜視図である。
【図４】図１中のＡ−Ａ線断面図である。
【図５】管体が接続具に接続された状態における図１中のＢ−Ｂ線断面図である。
【図６】図１に示す接続具が備える弁体の斜視図である。
【図７】本発明の接続具の第２実施形態を示す縦断面図である。
【図８】図７に示す接続具の平面図である。
【図９】図７中のＡ−Ａ線断面図である。
【図１０】管体が接続具に接続された状態における図１中の接続具の縦断面図である。
【図１１】図１０に示す接続具の平面図である。
【図１２】図１０中のＡ−Ａ線断面図である。
【図１３】本発明の接続具の第３実施形態を示す縦断面図である。
【符号の説明】
【０１０２】
１            接続具
１Ａ          接続具
１Ｂ          接続具
１１          液体流入空間
２Ａ          弁体
２Ｂ          弁体
２’          弁体
２１          頭部
２１１        頂面
２１２        開閉口
２１３        拡径部
２１４        開閉口
２１４ａ      スリット
２１４ｂ      スリット
２２          つば部
２２１        スカート部
２２２        外周部
２３          つば部
４            開口手段
４’          開口手段
４１          突出部
４２          突出部
４３          圧縮部
６            ハウジング
７            ベース
７１          凹部
７１１        縁部
７１２        凹面
７２          溝
８            オス側接続部
８１          内腔
８２          開口部
８３          ルアーテーパー部
９Ａ          キャップ
９Ｂ          キャップ
９１          メス側接続部
９１１        内腔
９１２        開口部
９１３        雄ネジ
９１４        嵌合部
９２          カバー部
９３          爪部
２０          管体
２０１        開口部
２０２        内腔
３０          雌ルアーロック部
３０１        雌ネジ
【図１】
2005137407.tif 000003
【図２】
2005137407.tif 000004
【図３】
2005137407.tif 000005
【図４】
2005137407.tif 000006
【図５】
2005137407.tif 000007
【図６】
2005137407.tif 000008
【図７】
2005137407.tif 000009
【図８】
2005137407.tif 000010
【図９】
2005137407.tif 000011
【図１０】
2005137407.tif 000012
【図１１】
2005137407.tif 000013
【図１２】
2005137407.tif 000014
【図１３】
2005137407.tif 000015